(57)【要約】【課題】カットした髪の毛が目に入ったり、顔に付着するのを防止すると共に、はさみから顔を守ることができる前髪カット用クリップを提供する。【解決手段】前髪カット用クリップＣは、前髪を挟んだ際に顔面に近い側となる第１の挟持部材１と、前髪を挟んだ際に、顔面より遠い側となる第２の挟持部材２とを組み合わせてなり、一端が操作部Ｓ、他端が開放端Ｏであって、第１の挟持部材１と第２の挟持部材２が閉じる方向に付勢する弾性部材を伴った１個のヒンジ３により連結されている前髪カット用クリップＣであって、前髪を挟んだ際に、装着者の両目を覆うカバー体５を第１の挟持部材１に取り付けて構成されている。【選択図】図１
0003204909.tif 000002
【実用新案登録請求の範囲】
【請求項１】
前髪を挟んだ際に装着者の顔面に近い側となる第１の挟持部材と、前髪を挟んだ際に、前記前記顔面より遠い側となる第２の挟持部材とを組み合わせてなり、一端が操作部、他端が開放端であって、前記第１の挟持部材と前記第２の挟持部材が閉じる方向に付勢する弾性部材を伴った１個のヒンジにより連結されている前髪カット用クリップであって、
前髪を挟んだ際に、装着者の両目を覆うカバー体を前記第１の挟持部材に取り付けたことを特徴とする前髪カット用クリップ。
【請求項２】
カバー体が透明であることを特徴とする請求項１記載の前髪カット用クリップ。
【請求項３】
第２の挟持部材が透明であることを特徴とする請求項１又は請求項２記載の前髪カット用クリップ。
【請求項４】
第１の挟持部材及び第２の挟持部材は、長手方向に長い長手形状部材であり、
前記第２の挟持部材には、前記長手方向に沿うと共に、一定の間隔に形成された複数の第２の挟持部材側突起が形成され、
前記第１の挟持部材には、前記長手方向に沿った開口部が形成されると共に、前記開口部の周縁部であって、前記長手方向に沿って一定の間隔に形成された複数の第１の挟持部材側突起が形成され、
前記第１の挟持部材と前記第２の挟持部材が閉じると、前記第２の挟持部材側突起が前記開口部内に侵入し、前記第２の挟持部材側突起が前記第１の挟持部材側突起に隣接し、前髪を前記第２の挟持部材側突起と前記第１の挟持部材側突起で案内することを特徴とする請求項１、請求項２又は請求項３のいずれかに記載の前髪カット用クリップ。
【請求項５】
前髪を挟んだ際に装着者の顔面に近い側となる第１の挟持部材と、前髪を挟んだ際に、前記顔面に遠い側となる第２の挟持部材とを組み合わせてなり、一端が操作部、他端が開放端であって、前記第１の挟持部材と前記第２の挟持部材が閉じる方向に付勢する弾性部材を伴った１個のヒンジにより連結されている前髪カット用クリップであって、
前髪を挟んだ際に、装着者の両目を覆うカバー体を前記第１の挟持部材に着脱自在に取り付けることを特徴とする前髪カット用クリップ。
【考案の詳細な説明】
【技術分野】
【０００１】
本考案は、前髪カット用クリップに係り、特に、カットした髪の毛が目に入ったり、顔に付着するのを防止すると共に、はさみから顔を守ることができる前髪カット用クリップに関する。
【背景技術】
【０００２】
従来、二つの挟持部材の間に前髪を挟持し、挟持した状態で二つの挟持部              材を前髪の長手方向に沿ってカットしたい部位まで移動できる前髪カット用クリップがある。
【考案の概要】
【考案が解決しようとする課題】
【０００３】
しかしながら、上記前髪カット用クリップにあっては、カットした髪の毛が目に入ったり、カットするはさみの先端で顔を傷つけさせやすいという問題点があった。
【０００４】
本考案は、上記の問題点を考慮してなされたもので、カットした髪の毛が目に入ったり、顔に付着するのを防止すると共に、はさみから顔を守ることができる前髪カット用クリップを提供することを目的とする。
【課題を解決するための手段】
【０００５】
本考案は前記問題点を解決すべくなされたもので、下記構成を有する前髪カット用クリップが提供される。
【０００６】
請求項１においては、
前髪を挟んだ際に装着者の顔面に近い側となる第１の挟持部材と、前髪を挟んだ際に、前記顔面より遠い側となる第２の挟持部材とを組み合わせてなり、一端が操作部、他端が開放端であって、前記第１の挟持部材と前記第２の挟持部材が閉じる方向に付勢する弾性部材を伴った１個のヒンジにより連結されている前髪カット用クリップであって、前髪を挟んだ際に、装着者の両目を覆うカバー体を前記第１の挟持部材に取り付けたことを特徴とする前髪カット用クリップが提供される。
【０００７】
請求項２においては、
カバー体が透明であることを特徴とする請求項１記載の前髪カット用クリップが提供される。
【０００８】
請求項３においては、
第２の挟持部材が透明であることを特徴とする請求項１又は請求項２記載の前髪カット用クリップが提供される。
【０００９】
請求項４においては、
第１の挟持部材及び第２の挟持部材は、長手方向に長い長手形状部材であり、
前記第２の挟持部材には、前記長手方向に沿うと共に、一定の間隔に形成された複数の第２の挟持部材側突起が形成され、前記第１の挟持部材には、前記長手方向に沿った開口部が形成されると共に、前記開口部の周縁部であって、前記長手方向に沿って一定の間隔に形成された複数の第１の挟持部材側突起が形成され、前記第１の挟持部材と前記第２の挟持部材が閉じると、前記第２の挟持部材側突起が前記開口部内に侵入し、前記第２の挟持部材側突起が前記第１の挟持部材側突起に隣接し、前髪を前記第２の挟持部材側突起と前記第１の挟持部材側突起で案内することを特徴とする請求項１、請求項２又は請求項３のいずれかに記載の前髪カット用クリップが提供される。
【００１０】
請求項５において、
前髪を挟んだ際に装着者の顔面に近い側となる第１の挟持部材と、前髪を挟んだ際に、前記顔面に遠い側となる第２の挟持部材とを組み合わせてなり、一端が操作部、他端が開放端であって、前記第１の挟持部材と前記第２の挟持部材が閉じる方向に付勢する弾性部材を伴った１個のヒンジにより連結されている前髪カット用クリップであって、前髪を挟んだ際に、装着者の両目を覆うカバー体を前記第１の挟持部材に着脱自在に取り付けることを特徴とする前髪カット用クリップが提供される。
【考案の効果】
【００１１】
請求項１記載の前髪カット用クリップによれば、前髪を挟んだ際に、装着者の両目を覆うカバー体を第１の挟持部材に取り付けたため、カットした髪の毛が目に入ったり、顔に付着するのを防ぐと共に、はさみが顔に当たるのを防ぐことができる。
【００１２】
請求項２記載の前髪カット用クリップによれば、上述の請求項１記載の考案の効果に加え、カバー体が透明であるため、前髪カット用クリップを装着した者が透明なカバー体を介してカットしたい前髪の部位を見ながらカットすることができる。
【００１３】
請求項３記載の前髪カット用クリップによれば、上述の請求項１又は請求項２記載の考案の効果に加え、第２の挟持部材が透明であるため、前髪カット用クリップを装着した者が、例えば、鏡を見ながら透明な第２の挟持部材内の前髪の挟持状態を確認しながらカットすることができる。
【００１４】
請求項４記載の前髪カット用クリップによれば、上述の請求項１、請求項２又は請求項３のいずれかに記載の考案の効果に加え、第１の挟持部材と第２の挟持部材が閉じると、第２の挟持部材側突起が開口部内に侵入し、第２の挟持部材側突起が第１の挟持部材側突起に隣接し、前髪を第２の挟持部材側突起と第１の挟持部材側突起で案内するため、これにより第１の挟持部材側突起の突起間の一定間隔及び第２の挟持部材側突起の突起間の一定間隔よりも狭い間隔で前髪を案内して良好にカットすることができる。
【００１５】
請求項５記載の前髪カット用クリップによれば、前髪を挟んだ際に、装着者の両目を覆うカバー体を第１の挟持部材に取り付けたため、カットした髪の毛が目に入ったり、顔に付着するのを防ぐと共に、はさみが顔に当たるのを防ぐことができ、また、カバー体を第１の挟持部材に着脱自在に取り付けるものであるから、使用形態、例えば、使用者が右利きでも左利きでも、使用しやすいように、操作部Ｓの位置を代えると共に、それに伴いカバー体の垂下状態を代えて対応することができ、更に、前髪カット用クリップを使用しないときには、カバー体を取り外して、ヘアクリップとして使用することもできる。
【図面の簡単な説明】
【００１６】
【図１】本考案前髪カット用クリップの一実施例を示す斜視図である。
【図２】本考案前髪カット用クリップにカバー体を装着する状態を示す斜視図である。
【図３】本考案前髪カット用クリップを開いた状態を示す斜視図である。
【図４】本考案前髪カット用クリップを閉じた状態のを示す要部の側面図である。
【図５】図５（ａ）は、本考案前髪カット用クリップを前髪に取り付けた状態を示す概略説明図であり、図５（ｂ）は、図５（ａ）の状態から前髪カット用クリップを前髪に沿って移動した状態を示す概略説明図であり、図５（ｃ）は、本考案前髪カット用クリップを前髪に取付けてカットする状態を示す概略説明図である。
【実施例】
【００１７】
本考案の一実施例の前髪カット用クリップを図面を参照して説明する（図１乃至図５参照）。
図１に示すＣは前髪カット用クリップ（フェイスガード付き前髪カット用クリップ）で、前髪カット用クリップＣは、前髪を挟んだ際に装着者の顔面に近い側となる第１の挟持部材１と、前髪を挟んだ際に、顔面より遠い側となる第２の挟持部材２とを組み合わせてなり、一端が操作部Ｓ、他端が開放端Ｏであって、第１の挟持部材１と第２の挟持部材２が閉じる方向に付勢する弾性部材を伴った１個のヒンジ３により連結されている。
【００１８】
第１の挟持部材１及び第２の挟持部材２は、長手方向Ｌに長い長手形状部材であり、第２の挟持部材２には、長手方向に沿うと共に、一定の間隔に形成された複数の第２の挟持部材側突起２１が形成されている。第２の挟持部材２は、例えば、透明に形成されている。これは、装着者が前髪カット用クリップＣを装着し、鏡を見ながら透明な第２の挟持部材２内の前髪の挟持状態を確認しながらカットすることができるようにするためである。
【００１９】
また、第１の挟持部材１には、長手方向Ｌに沿った開口部１０が形成されると共に、開口部１０の周縁部であって、長手方向Ｌに沿って一定の間隔に形成された複数の第１の挟持部材側突起１１が形成される。第２の挟持部材側突起２１と第１の挟持部材側突起１１の高さは、第２の挟持部材側突起２１が第１の挟持部材側突起１１より高く形成されている。
【００２０】
そして、第１の挟持部材１と第２の挟持部材２が閉じると、第２の挟持部材側突起２１が開口部１０内に侵入し、第２の挟持部材側突起２１が第１の挟持部材側突起１１に隣接し、前髪を第２の挟持部材側突起２１と第１の挟持部材側突起１１で案内することとなる（図４参照）。このように、第１の挟持部材１と第２の挟持部材２が閉じると、第２の挟持部材側突起２１が開口部１０内に侵入し、第２の挟持部材側突起２１が第１の挟持部材側突起１１に隣接し、前髪を第２の挟持部材側突起２１と第１の挟持部材側突起１１で案内され、これにより、第１の挟持部材側突起１１の突起間の一定間隔及び第２の挟持部材側突起２１の突起間の一定間隔よりも狭い間隔で前髪を案内して良好にカットすることができる。
【００２１】
図１に示す５はカバー体で、カバー体５は、第１の挟持部材１に取り付けられ、前髪を挟んだ際に、装着者の両目を覆って、カットした髪の毛が目に入ったり、顔に付着するのを防ぐことができると共に、はさみが顔に当たるのを防ぐようにしている。カバー体５は、例えば、透明な、略横長の矩形形状で、上部側の両側に２個の第１、第２の開口部５１、５２が設けられている。
また、図２に示す１３、１４は、装着者の側に突出する第１、第２の突出部で、第１の開口部５１に第１の突出部１３を、第２の開口部５２に第２の突出部１４を、それぞれ係止させて、カバー体５を第１の挟持部材１に着脱自在に取り付けるようにしている。その結果、第１の挟持部材１とカバー体５との間にはさみが入る空間が形成されているため、はさみでカバー体５を傷付けにくくなっている。また、前髪もカバー体５から離れるため、切りやすくなっている。
【００２２】
次に、前髪カット用クリップＣの使用状態について、説明する。
前髪カット用クリップＣは、図５（ａ）（ｂ）（ｃ）に示すように、先ず、第１の挟持部材１と第２の挟持部材２とを開いて、第１の挟持部材１と第２の挟持部材２との間に前髪を位置させ、第１の挟持部材１と第２の挟持部材２とを閉じるようにする［図５（ａ）参照］。その後、前髪カット用クリップＣをカットしたい位置まで、前髪の長手方向に沿って移動させる［図５（ｂ）参照］。移動後、前髪をカットする［図５（ｃ）参照］。
【００２３】
また、上述したように、カバー体５は第１の挟持部材１に着脱自在に取り付けられるものであるから、例えば、図２においては、左側に操作部Ｓが位置しているため、右利きの場合、左手で操作部Ｓを持ち、右手ではさみを持って使用することができ、また、左利きの場合には、図１記載の第１の挟持部材１からカバー体５を外すと共に、右側に操作部Ｓ、カバー体５が第１の突出部１３、第２の突出部１４から垂下するように、カバー体５を第１の突出部１３、第２の突出部１４に取り付けるようにすれば、右手で操作部Ｓを持ち、左手ではさみを持って使用することができ、また、左利きの大人が子供の前髪を切る場合、図２記載のもので良いが、右利きの大人が子供の前髪を切る場合、図１記載の第１の挟持部材１からカバー体５を外すと共に、右利きの大人から見て、左側に操作部Ｓ、カバー体５が第１の突出部１３、第２の突出部１４から垂下するようにすれば、右利きの大人が左手で操作部Ｓを持ち、右手ではさみを持って使用することができる。なお、前髪カット用クリップＣを使用しないときには、カバー体５を第１の挟持部材１から取り外して、ヘアクリップとして使用することもできる。
【符号の説明】
【００２４】
Ｃ      前髪カット用クリップ
Ｓ      操作部
Ｏ      開放端
１      第１の挟持部材
２      第２の挟持部材
３      弾性部材を伴った１個のヒンジ
５      カバー体
【図１】
0003204909.tif 000003
【図２】
0003204909.tif 000004
【図３】
0003204909.tif 000005
【図４】
0003204909.tif 000006
【図５】
0003204909.tif 000007